(57)【要約】【課題】主として望遠撮影時の構図決定を楽に行うことを可能とする。【解決手段】撮像装置１は、本体レンズ３及び第１の撮像素子２５を含む撮像部２３と、撮像部２３で撮像された第１の画像と、本体レンズ３とは異なる画角のアタッチメントレンズ５２及び第２の撮像素子５３を含むアタッチメント５１において撮像された第２の画像との少なくとも何れか一方を表示する表示部５とを備える。制御部２１は、撮影待機状態において、第１の画像及び第２の画像のうち撮影範囲が広い側の画像を、撮影範囲が狭い側の画像の該当する撮影範囲が識別可能な状態で表示部５に表示させる。異なる画角の撮影範囲を１画像内で比較し確認しながら撮影を行うことができる。【選択図】図２
2013235195.tif 000002
【特許請求の範囲】
【請求項１】
第１のレンズ、及び該第１のレンズを介して画像を撮像する第１の撮像素子を含む第１の撮像手段により撮像された第１の画像を取得する第１の画像取得手段と、
第２のレンズ、及び該第２のレンズを介して画像を撮像する第２の撮像素子を含む第２の撮像手段により撮像された第２の画像を取得する第２の画像取得手段と、
前記第１の画像取得手段により取得された第１の画像と前記第２の画像取得手段により取得された第２の画像との少なくとも何れか一方を表示する表示手段と、
前記第１の画像及び前記第２の画像のうち撮影範囲が広い側の画像を、前記第１の画像及び前記第２の画像のうち撮影範囲が狭い側の画像の該当する撮影範囲が識別可能な状態で前記表示手段に表示させる表示制御手段と
を備えることを特徴とする撮像装置。
【請求項２】
前記第１のレンズの画角情報及び前記第２のレンズの画角情報を取得する画角情報取得手段と、
前記画角情報取得手段により取得された前記第１のレンズ及び前記第２のレンズの画角情報に基づいて、前記撮影範囲が広い側の画像における前記撮影範囲が狭い側の画像の該当する撮影範囲を算出する算出手段と
を更に備え、
前記表示制御手段は、前記算出手段により算出された撮影範囲が識別可能な状態で前記撮影範囲が広い側の画像を前記表示手段に表示させる
ことを特徴とする請求項１記載の撮像装置。
【請求項３】
前記第１の画像及び前記第２の画像の撮影範囲の何れが広いかを判別する判別手段を更に備え、
前記表示制御手段は、前記判別手段により撮影範囲が広いと判別された画像を他方の画像の該当する撮影範囲が識別可能な状態で前記表示手段に表示させる
ことを特徴とする請求項１又は２記載の撮像装置。
【請求項４】
前記第１のレンズまたは第２のレンズのうち、少なくとも一方のレンズの撮影範囲を変更する撮影範囲変更手段を更に備えることを特徴とする請求項１乃至３記載の撮像装置。
【請求項５】
前記算出手段は、前記第１のレンズ及び前記第２レンズの何れか一方のレンズがズームレンズであり、かつ何れか他方のレンズの画角が一方のレンズの広角端の画角よりも広い場合には、前記撮影範囲が広い側の画像における前記撮影範囲が狭い側の画像の該当する撮影範囲であって、前記一方のレンズの画角が広角端であるとき該当する第１の撮影範囲、及び前記一方のレンズの画角が望遠端であるとき該当する第２の撮影範囲をそれぞれ算出し、
前記表示制御手段は、前記算出手段により算出された第１の撮影範囲と第２の撮影範囲とが識別可能な状態で前記撮影範囲が広い側の画像を前記表示手段に表示させる
ことを特徴とする請求項２乃至４記載の撮像装置。
【請求項６】
前記撮影範囲が広い側の画像における前記撮影範囲が狭い側の画像の該当する撮影範囲を画像処理技術を用いて特定する範囲特定手段を更に備え、
前記表示制御手段は、前記範囲特定手段により特定された撮影範囲が識別可能な状態で前記撮影範囲が広い側の画像を前記表示手段に表示させる
ことを特徴とする請求項１記載の撮像装置。
【請求項７】
前記表示制御手段は、前記撮影範囲が広い側の画像を、前記撮影範囲が狭い側の画像の該当する撮影範囲を示す撮影範囲枠を重畳させた状態で前記表示手段に表示させることを特徴とする請求項１乃至６何れか記載の撮像装置。
【請求項８】
前記表示制御手段は、前記撮影範囲が広い側の画像を、前記撮影範囲が狭い側の画像を合成させた状態で前記表示手段に表示させることを特徴とする請求項１乃至６何れか記載の撮像装置。
【請求項９】
前記判別手段は、前記第１の画像及び前記第２の画像の撮影範囲の何れが広いかを、予め決められた判別タイミングが到来する毎に繰り返し判別することを特徴とする請求項３記載の撮像装置。
【請求項１０】
前記第２の撮像手段は、撮像装置の本体に装着されるアタッチメントに設けられ、
前記第２の画像取得手段は、撮像装置の本体に装着されている前記アタッチメントから前記第２の画像を取得する
ことを特徴とする請求項１乃至９何れか記載の撮像装置。
【請求項１１】
前記アタッチメントは、前記第２の画像を表示する他の表示手段を備え、
前記表示制御手段は、前記他の表示手段に、前記撮影範囲が広い側の画像を前記撮影範囲が狭い側の該当する撮影範囲が識別可能な状態で前記表示手段に表示させる
ことを特徴とする請求項１０記載の撮像装置。
【請求項１２】
前記第１のレンズは交換可能であることを特徴とする請求項１乃至１１何れか記載の撮像装置。
【請求項１３】
撮影操作に伴い前記第１の画像取得手段により取得された第１の画像と前記第２の画像取得手段により取得された第２の画像とを互いに関連付けて記憶する記憶手段を更に備えることを特徴とする請求項１乃至１０何れか記載の撮像装置。
【請求項１４】
第１のレンズ、及び該第１のレンズを介して画像を撮像する第１の撮像素子を含む第１の撮像手段により撮像された第１の画像を取得する第１の画像取得手段と、第２のレンズ、及び該第２のレンズを介して画像を撮像する第２の撮像素子を含む第２の撮像手段により撮像された第２の画像を取得する第２の画像取得手段と、前記第１の画像取得手段により取得された第１の画像と前記第２の画像取得手段により取得された第２の画像との少なくとも何れか一方を表示する表示手段とを備えた撮像装置において、
前記第１の画像及び前記第２の画像のうち撮影範囲が広い側の画像を取得する工程と、
取得した前記撮影範囲が広い側の画像を、前記第１の画像及び前記第２の画像のうち撮影範囲が狭い側の画像の該当する撮影範囲が識別可能な状態で前記表示手段に表示させる工程と
を含むことを特徴とする撮影範囲表示方法。
【請求項１５】
第１のレンズ、及び該第１のレンズを介して画像を撮像する第１の撮像素子を含む第１の撮像手段により撮像された第１の画像を取得する第１の画像取得手段と、第２のレンズ、及び該第２のレンズを介して画像を撮像する第２の撮像素子を含む第２の撮像手段により撮像された第２の画像を取得する第２の画像取得手段と、前記第１の画像取得手段により取得された第１の画像と前記第２の画像取得手段により取得された第２の画像との少なくとも何れか一方を表示する表示手段とを備えた撮像装置が有するコンピュータを、
前記第１の画像及び前記第２の画像のうち撮影範囲が広い側の画像を、前記第１の画像及び前記第２の画像のうち撮影範囲が狭い側の画像の該当する撮影範囲が識別可能な状態で前記表示手段に表示させる表示制御手段として機能させることを特徴とするプログラム。
【発明の詳細な説明】
【技術分野】
【０００１】
本発明は、デジタルカメラ等の撮像装置におけるファインダ機能に関するものである。
【背景技術】
【０００２】
従来、デジタルカメラでは、撮影した画像を表示する液晶モニタ等の表示装置に、撮像中の画像を逐次表示することでファインダとして機能させている。また、デジタルカメラのうちで撮影レンズが交換可能ないわゆる一眼レフ型のもでは、従来のスチルカメラと同様の採光式のビューファインダを備えたものも多い。
【０００３】
ところで、デジタルカメラに望遠レンズを装着して望遠撮影を行う際には、撮影時の画角が狭くなるため、構図確認中に一度被写体を見逃すと、被写体を探し難いことがある。これを解消する技術として例えば下記特許文献１には、レンズ交換式カメラのビューファインダにおいて、交換レンズに応じて撮影範囲を示すブライトフレームを切り換える技術が開示されている。
【先行技術文献】
【特許文献】
【０００４】
【特許文献１】特開２００１−１２５１７１号公報
【発明の概要】
【発明が解決しようとする課題】
【０００５】
しかしながら、特許文献１に記載された技術では、ビューファイダのサイズは固定であるため、撮影範囲を示すブライトフレームが交換レンズによっては見やすいサイズに表示されるとは限らない。したがって、望遠撮影時の構図決定が必ずしも楽になるとは限らないという問題があった。
【０００６】
本発明は、かかる従来の課題に鑑みてなされたものであり、主として望遠撮影時の構図決定を楽に行うことができる撮像装置、及び撮影範囲表示方法、プログラムを提供することを目的とする。
【課題を解決するための手段】
【０００７】
前記課題を解決するため、本発明にあっては、第１のレンズ、及び該第１のレンズを介して画像を撮像する第１の撮像素子を含む第１の撮像手段により撮像された第１の画像を取得する第１の画像取得手段と、第２のレンズ、及び該第２のレンズを介して画像を撮像する第２の撮像素子を含む第２の撮像手段により撮像された第２の画像を取得する第２の画像取得手段と、前記第１の画像取得手段により取得された第１の画像と前記第２の画像取得手段により取得された第２の画像との少なくとも何れか一方を表示する表示手段と、前記第１の画像及び前記第２の画像のうち撮影範囲が広い側の画像を、前記第１の画像及び前記第２の画像のうち撮影範囲が狭い側の画像の該当する撮影範囲が識別可能な状態で前記表示手段に表示させる表示制御手段とを備えることを特徴とする。
【発明の効果】
【０００８】
本発明によれば、主として望遠撮影時の構図決定を楽に行うことが可能となる。
【図面の簡単な説明】
【０００９】
【図１】本発明の各実施形態に共通するアタッチメントが装着された状態のデジタルカメラを示す図であり、（ａ）は外観斜視図、（ｂ）は背面図である。
【図２】図１に示したデジタルカメラ、及びアタッチメントを示すブロック図である。
【図３】第１の実施形態におけるデジタルカメラの動作を示すフローチャートである。
【図４】（ａ）は第１の実施形態で表示されるライブビュー画像を示す図、（ｂ）はライブビュー画像に撮影範囲枠が重畳された状態を示す図である。
【図５】第２の実施形態におけるデジタルカメラの動作を示すフローチャートである。
【図６】第２の実施形態の変形例を示す図である。
【発明を実施するための形態】
【００１０】
（実施形態１）
以下、本発明の第１の実施形態について説明する。図１は、本発明に係る撮像装置としてのデジタルカメラ１を示す図であって、図１（ａ）は外観斜視図、図１（ｂ）は背面図である。
【００１１】
図１（ａ）に示したように本実施形態のデジタルカメラ１は、カメラ本体２とレンズ部３とからなるいわゆる一眼レフ型のカメラであり、レンズ部３はカメラ本体２に交換可能に装着されている。レンズ部３にはフォーカスレンズを含む光学系と、絞りと、それらを駆動する駆動手段とが含まれる。なお、本実施形態においてレンズ部３の光学系（以下、本体レンズという。）は単焦点レンズである。
【００１２】
また、図１（ｂ）に示したように、カメラ本体２の上面にはレリーズ釦４が設けられ、カメラ本体２の背面には、デジタルカメラ１に記録されている撮影画像を表示する液晶モニタ５、及び複数の操作スイッチ６〜１０が設けられている。
【００１３】
液晶モニタ５は、撮影待機状態においてデジタルカメラ１が逐次撮像する画像をいわゆるライブビュー画像（スルー画像ともいう。）として表示することによりファインダとして機能する。複数の操作スイッチ６〜１０は、デジタルカメラ１の動作モードの切り替え等の種々の操作に使用される。
【００１４】
また、デジタルカメラ１には、カメラ本体２の上部に交換可能なアタッチメント５１が装着されている。アタッチメント５１は、レンズ部３の本体レンズとは異なる画角で被写体を撮像し、撮像した画像のデータをデジタルカメラ１に供給するカメラユニットであり、ケーブル６１を介してカメラ本体２と電気的に接続されている。
【００１５】
図２は、デジタルカメラ１及びアタッチメント５１の主として電気的構成の概略を示すブロック図である。
【００１６】
デジタルカメラ１は、制御部２１と、制御部２１に接続された以下の各部とから構成される。
【００１７】
制御部２１は、ＣＰＵ（Central Processing Unit）及びその周辺回路、各種の制御プログラムが格納されたＲＯＭ（Read Only Memory）、作業用のＲＡＭ（Random Access memory）等から構成される。制御部２１は、ＲＯＭに格納されている各種のプログラムに従いデジタルカメラ１の動作を制御する。プログラムに従った制御部２１の制御には、デジタルカメラ１におけるＡＥ（Auto Exposure）制御やＡＦ（Auto Focus）制御、後述する液晶モニタ５の画面制御が含まれる。
【００１８】
電源部２２は、充電池、およびＤＣ／ＤＣコンバータなどで構成され、デジタルカメラ１の各部へ、各々の動作に必要な電力を供給する。
【００１９】
撮像部２３は、前述した本体レンズ３と、本体レンズ３を介して被写体を撮像する第１の撮像素子２５と、図示しないＡＦＥ（Analog Front End）とを含み、第１の撮像素子２５によって撮像された被写体の画像データを制御部２１へ供給する。なお、第１の撮像素子２５は、例えばＣＣＤ（Charge Coupled Device）やＣＭＯＳ（Complementary Meta1 0xide Semiconductor）型の固体撮像素子である。
【００２０】
表示部（液晶モニタ）５は、カラー液晶表示パネルと、液晶表示パネルを駆動する駆動回路と、カラー液晶表示パネルにＯＳＤ（On Screen Display）データに基づく情報を表示させる表示処理回路とから構成される。表示部５は、制御部２１から供給される画像データに応じたライブビュー画像や、デジタルカメラ１に記憶されている画像を表示するとともに、必要に応じて後述する撮影範囲枠を画像に重畳して表示する。
【００２１】
記憶部２７は、例えばデジタルカメラ１に内蔵されたフラッシュメモリや、デジタルカメラ１に着脱自在な各種のメモリカード、及びメモリカードへのデータの入出力を可能とするカードインターフェイスにより構成される。
【００２２】
操作部２８は、図１に示したレリーズ釦４と複数の操作スイッチ６〜１０、電源キー（図１では省略）を含み、ユーザの操作を受け付け、その操作情報を制御部２１に供給する。本実施形態においてレリーズ釦４は、半押し操作と全押し操作との２段階操作が可能な構成である。レリーズ釦４の半押し操作は、ＡＥ動作、及びＡＦ動作の開始指示、及び後述する撮影範囲枠の表示に使用され、レリーズ釦４の全押し操作は撮影指示に使用される。
【００２３】
接続部２９は、図１に示したケーブル６１を接続するコネクタを含み、ＵＳＢ（Universal Serial Bus）などの通信規格によるデジタルカメラ１とアタッチメント５１との間の電気信号の授受、及び電源部２２によるアタッチメント５１への電力供給を行う。
【００２４】
アタッチメント５１は、単焦点の撮影レンズであるアタッチメントレンズ５２と、アタッチメントレンズ５２を介して被写体を撮像する第２の撮像素子５３と、図示しないＡＦＥとを含み、第２の撮像素子５３が撮像した被写体の画像データを制御部２１へ供給する。第２の撮像素子５３も第１の撮像素子２５と同様にＣＣＤやＣＭＯＳ型の固体撮像素子である。
【００２５】
次に、デジタルカメラ１に撮影用の記録モードが設定されているときの動作について説明する。図３は、制御部２１における本発明に関する処理を示したフローチャートである。
【００２６】
制御部２１は、デジタルカメラ１に撮影記録モードが設定されると直ちに処理を開始し、まずカメラ本体２にアタッチメント５１が装着されているか否かを確認する（ステップＳＡ１）。
【００２７】
アタッチメント５１が装着されていない場合（ステップＳＡ１：ＮＯ）、制御部２１は、本体レンズ３を介して第１の撮像素子２５により撮像した画像を取得し、表示部５におけるライブビュー画像の表示を開始する（ステップＳＡ２）。
【００２８】
ライブビュー画像の表示中、制御部２１は、ユーザによってレリーズ釦４が全押しされたか否かを逐次確認し、レリーズ釦４が全押しされたら（ステップＳＡ３：ＹＥＳ）、本体レンズ３を用いた撮影処理を行う（ステップＳＡ４）。すなわち、制御部２１は第１の撮像素子２５によって記録用の画像を取得する。しかる後、制御部２１は、取得した画像、すなわち撮影画像を記憶部２７に記憶させる（ステップＳＡ５）。
【００２９】
一方、制御部２１は、カメラ本体２にアタッチメント５１が装着されているときには（ステップＳＡ１：ＹＥＳ）、まず、アタッチメントレンズ５２の画角情報を取得する（ステップＳＡ６）。画角情報はアタッチメント５１に保持されているアタッチメントレンズ５２の焦点距離を示す情報であり、ステップＳＡ６の処理において制御部２１は係る情報をアタッチメント５１から取得する。
【００３０】
次に、制御部２１は現在の本体レンズ３の焦点距離を取得し、本体レンズ３の焦点距離に対応する画角とアタッチメントレンズ５２の焦点距離に対応する画角とを比較する（ステップＳＡ７）。
【００３１】
ここで、本体レンズ３の画角に比べてアタッチメントレンズ５２の画角が広い場合（ステップＳＡ８：ＹＥＳ）、制御部２１は、アタッチメントレンズ５２による撮影範囲に対する本体レンズ３による撮影範囲を算出する（ステップＳＡ９）。
【００３２】
ステップＳＡ９の処理は、ステップＳＡ６，ＳＡ７の処理でそれぞれ取得したアタッチメントレンズ５２と本体レンズ３の焦点距離とに基づいて、アタッチメントレンズ５２を介し第２の撮像素子５３により撮像される画像内における、本体レンズ３を介し第１の撮像素子２５により撮像される画像に相当する撮影範囲を示す座標情報を算出し記憶する処理である。
【００３３】
なお、ここでは、第２の撮像素子５３により撮像される画像が撮影範囲が広い側の画像であり、本体レンズ３を介し第１の撮像素子２５により撮像される画像が撮影範囲が狭い側の画像である。
【００３４】
次に、制御部２１は、アタッチメントレンズ５２を介し第２の撮像素子５３により撮像した画像を取得し、取得した画像を表示部５にライブビュー画像として表示させる処理を開始する（ステップＳＡ１０）。図４（ａ）は、ステップＳＡ１０の処理に伴い表示部５において表示されるライブビュー画像Ｇの一例を示した図である。
【００３５】
係るライブビュー画像の表示中、制御部２１は、ユーザによってレリーズ釦４が半押しされたか否かを逐次確認し、レリーズ釦４が半押しされなければ（ステップＳＡ１１：ＮＯ）、ステップＳＡ１０の処理に戻りライブビュー画像の表示をそのまま継続する。
【００３６】
その間、レリーズ釦４が半押しされると（ステップＳＡ１１：ＹＥＳ）、制御部２１は、ステップＳＡ９の処理で記憶した座標情報に基づいて、本体レンズ３の撮影範囲を示す撮影範囲枠をライブビュー画像Ｇに重畳して表示部５に表示させる（ステップＳＡ１２）。図４（ｂ）は、ライブビュー画像Ｇに重畳して表示される撮影範囲枠Ｆの一例を示した図である。
【００３７】
以後、制御部２１は、レリーズ釦４が全押しされるまでの間（ステップＳＡ１３：ＮＯ）、レリーズ釦４の半押しの有無を逐次確認し、レリーズ釦４が半押し状態のままであれば（ステップＳＡ１１：ＹＥＳ）、ライブビュー画像に撮影範囲枠を表示した状態を維持する。また、レリーズ釦４の半押しが解除されたら（ステップＳＡ１１：ＮＯ）、ステップＳＡ１０の処理に戻り、再び表示部５にライブビュー画像のみを表示させる。
【００３８】
つまり、レリーズ釦６が半押しされている間には、撮影範囲枠が表示された状態のままでライブビュー画像が逐次更新され、かつレリーズ釦６の半押し状態が解除された時点で撮影範囲枠の表示が停止される。
【００３９】
また、以上とは逆に、本体レンズ３の画角に比べてアタッチメントレンズ５２の画角が狭い場合（ステップＳＡ８：ＮＯ）、制御部２１は本体レンズ３による撮影範囲に対するアタッチメントレンズ５２による撮影範囲を算出する（ステップＳＡ１４）。
【００４０】
ステップＳＡ１４の処理は、ステップＳＡ６，ＳＡ７の処理でそれぞれ取得したアタッチメントレンズ５２と本体レンズ３の焦点距離とに基づいて、本体レンズ３を介し第１の撮像素子２５により撮像される画像内における、アタッチメントレンズ５２を介し第２の撮像素子５３により撮像される画像に相当する撮影範囲を示す座標情報を算出し記憶する処理である。
【００４１】
なお、ここでは、本体レンズ３を介し第１の撮像素子２５により撮像される画像が撮影範囲が広い側の画像であり、アタッチメントレンズ５２を介し第２の撮像素子５３により撮像される画像が撮影範囲が狭い側の画像である。
【００４２】
次に、制御部２１は、本体レンズ３を介し第１の撮像素子２５により撮像した画像を取得し、取得した画像を表示部５にライブビュー画像として表示させる処理を開始する（ステップＳＡ１５）。
【００４３】
そして、ライブビュー画像の表示中、制御部２１は、ユーザによってレリーズ釦４が半押しされたか否かを逐次確認し、レリーズ釦４が半押しされなければ（ステップＳＡ１６：ＮＯ）、ステップＳＡ１５の処理に戻りライブビュー画像の表示をそのまま継続する。
【００４４】
その間、レリーズ釦４が半押しされると（ステップＳＡ１６：ＹＥＳ）、制御部２１は、ステップＳＡ１４の処理で記憶した座標情報に基づいて、アタッチメントレンズ５２の撮影範囲を示す撮影範囲枠をライブビュー画像に重畳して表示部５に表示させる（ステップＳＡ１７）。
【００４５】
以後、制御部２１は、レリーズ釦４が全押しされるまでの間（ステップＳＡ１８：ＮＯ）、レリーズ釦４の半押しの有無を逐次確認し、レリーズ釦４が半押し状態のままであれば（ステップＳＡ１６：ＹＥＳ）、ライブビュー画像に撮影範囲枠を表示した状態を維持する。また、レリーズ釦４の半押しが解除されたら（ステップＳＡ１６：ＮＯ）、ステップＳＡ１５の処理に戻り、再び表示部５にライブビュー画像のみを表示させる。
【００４６】
つまり、レリーズ釦６が半押しされている間には、撮影範囲枠が表示された状態のままでライブビュー画像が逐次更新され、かつレリーズ釦６の半押し状態が解除された時点で撮影範囲枠の表示が停止される。
【００４７】
その後、レリーズ釦４が全押しされると（ステップＳＡ１３：ＹＥＳ、ステップＳＡ１８：ＹＥＳ）、制御部２１は、本体レンズ３とアタッチメントレンズ５２とをそれぞれ用いた撮影処理を行う（ステップＳＡ１９）。すなわち、制御部２１は第１の撮像素子２５と第２の撮像素子５３との各々によって記録用の画像を個別に取得する。
【００４８】
しかる後、制御部２１は、取得した各々の画像を撮影画像として互いに関連付けて記憶部２７に記憶する（ステップＳＡ２０）。なお、各々の画像の関連付けは、例えば各々の撮影画像を画像ファイルとして記憶部２７に記憶する際のファイル名に対応関係を示すファイル名を付すことにより行う。
【００４９】
以上のようにデジタルカメラ１においては、レンズ部３の本体レンズ３とは異なる画角のアタッチメントレンズ５２を備えたアタッチメント５１が装着されている場合には、撮影待機状態において以下のライブビュー画像表示が行われる。
【００５０】
すなわちライブビュー画像として、相対的に画角が広い側のレンズを介して撮像した画像、すなわち撮影範囲が広い側の画像が表示部５において表示されるとともに、レリーズ釦４が半押しされると、相対的に画角が狭い側のレンズによる撮影範囲、すなわち撮影範囲が狭い側の画像の該当する撮影範囲を示す撮影範囲枠がライブビュー画像に表示される。
【００５１】
したがって、異なる画角の撮影範囲を１画像（ライブビュー画像）内で比較し確認しながら撮影を行うことができる。その結果、本体レンズ３が望遠レンズである場合には、それよりも広角のアタッチメントレンズ５２を有するアタッチメント５１をデジタルカメラ１に装着することによって、望遠撮影時には構図決定を楽に行うことができる。
【００５２】
また、本実施形態においては、ライブビュー画像内における相対的に画角が狭い側のレンズによる撮影範囲を、本体レンズ３とアタッチメントレンズ５２との画角情報（本実施形態では焦点距離）に基づき算出するようにした。よって、ライブビュー画像内での撮影範囲枠の表示を簡略な処理で行うことができる。
【００５３】
しかも、レンズ部３やアタッチメント５１が異なる画角を有するものに交換された場合であっても、相対的に画角が狭い側のレンズによる撮影範囲がライブビュー画像において常に正しいサイズで表示される。したがってレンズ部３とアタッチメント５１との組み合わせを必要に応じて自由に行うことができる。
【００５４】
また、アタッチメント５１が装着されている場合には、画角の異なる同一タイミングの複数の画像を撮影画像として得ることがきる。
【００５５】
（実施形態２）
次に本発明の第２の実施形態について説明する。本実施形態は、前述した本体レンズ３がズームレンズである場合に、記録モードにおいて制御部２１が図５に示した処理を行うものである。
【００５６】
すなわち、本実施形態においても制御部２１は、カメラ本体２にアタッチメント５１が装着されていないときには（ステップＳＢ１：ＮＯ）、第１の実施形態と同様の処理を行う（ステップＳＢ２〜ステップＳＢ５）。
【００５７】
一方、カメラ本体２にアタッチメント５１が装着されている場合（ステップＳＢ１：ＹＥＳ）、制御部２１は、第１の実施形態と異なり、本体レンズ３とアタッチメントレンズ５２との撮影範囲を画像解析し（ステップＳＢ６）、撮影範囲比較処理を行う（ステップＳＢ７）。
【００５８】
ステップＳＢ６の処理は、第１の撮像素子２５と第２の撮像素子５３とを駆動することにより、本体レンズ３を介して撮像した画像（以下、第１の画像という。）と、アタッチメントレンズ５２を介して撮像した画像（以下、第２の画像という。）とをそれぞれ取得する処理、及び取得した双方の画像を解析する処理である。ここで双方の画像の解析は、各々の画像について例えば二値化や、輪郭抽出等の画像処理によって画像内における被写体の特徴部分をそれぞれ特定する処理である。
【００５９】
また、ステップＳＢ７の撮影範囲比較処理は、ステップＳＢ６の処理での解析結果に基づいて、第１の画像の撮影範囲と第２の画像の撮影範囲とを比較し、撮影範囲が広い側の画像を判定する処理である。つまり本体レンズ３の画角とアタッチメントレンズ５２の画角の何れが広いかを間接的に判別する処理である。具体的には、顔認識等で用いられる被写体認識技術を用いた処理であり、例えば第１の画像を段階的に縮小させながら、それと対応する画像領域を第１の画像において検出し、対応する領域が検出できれば、第１の画像よりも第２の画像の方が撮影範囲が広いと判定し、逆に対応する領域が検出できなければ、第２の画像よりも第１の画像の方が撮影範囲が広いと判定する処理である。
【００６０】
そして、制御部２１は、第１の画像の撮影範囲よりも第２の画像の撮影範囲の方が広い場合、つまり本体レンズ３の画角に比べてアタッチメントレンズ５２の画角が広い場合には（ステップＳＢ８：ＹＥＳ）、以下の処理を行う。
【００６１】
まず、制御部２１は、第２の画像を表示部５にライブビュー画像として表示する処理を開始する（ステップＳＢ９）。ライブビュー画像の表示中において制御部２１は、ユーザによってレリーズ釦４が半押しされたか否かを逐次確認し、レリーズ釦４が半押しされなければ（ステップＳＢ１０：ＮＯ）、ステップＳＢ６の処理に戻る。したがって、本体レンズ３の焦点距離（ズーム倍率）に変化がなければ、表示部５において第２の画像がライブビュー画像として継続して表示される。
【００６２】
また、ライブビュー画像の表示中にレリーズ釦４が半押しされると（ステップＳＢ１０：ＹＥＳ）、制御部２１は、アタッチメントレンズ５２の撮影範囲に対する本体レンズ３の撮影範囲を特定する（ステップＳＢ１１）。ステップＳＢ１１の処理は、ステップＳＢ７の撮影範囲比較処理と同様の画像処理技術を用い、第１の画像を段階的に縮小させながら、それと対応する画像領域を第２の画像において検出し、検出した領域を撮影範囲として特定する処理である。
【００６３】
しかる後、制御部２１は、ステップＳＢ１１の処理で特定した本体レンズ３の撮影範囲を示す撮影範囲枠をライブビュー画像に重畳して表示部５に表示させる（ステップＳＢ１２）。なお、本実施形態で表示部５において表示される撮影範囲枠も、第１の実施形態で図４（ｂ）に示した撮影範囲枠Ｆと同様のものである。
【００６４】
以後、制御部２１は、レリーズ釦４が全押しされるまでの間（ステップＳＢ１３：ＮＯ）、レリーズ釦４の半押しの有無を逐次確認し、レリーズ釦４が半押し状態のままであれば（ステップＳＢ１０：ＹＥＳ）、ライブビュー画像に撮影範囲枠を表示した状態を維持する。また、レリーズ釦４の半押しが解除されたら（ステップＳＢ１０：ＮＯ）、ステップＳＢ６の処理に戻ることにより、再び表示部５にライブビュー画像のみを表示させる。
【００６５】
また、以上とは逆に、第１の画像の撮影範囲よりも第２の画像の撮影範囲の方が狭い場合、つまり本体レンズ３の画角に比べてアタッチメントレンズ５２の画角が狭い場合には（ステップＳＢ８：ＮＯ）、制御部２１は以下の処理を行う。
【００６６】
まず、制御部２１は、第１の画像を表示部５にライブビュー画像として表示させる処理を開始する（ステップＳＢ１４）。ライブビュー画像の表示中において制御部２１は、ユーザによってレリーズ釦４が半押しされたか否かを逐次確認し、レリーズ釦４が半押しされなければ（ステップＳＢ１５：ＮＯ）、ステップＳＢ６の処理に戻る。したがって、本体レンズ３の焦点距離（ズーム倍率）に変化がなければ、表示部５において第１の画像がライブビュー画像として継続して表示される。
【００６７】
また、ライブビュー画像の表示中にレリーズ釦４が半押しされると（ステップＳＢ１５：ＹＥＳ）、制御部２１は、本体レンズ３の撮影範囲に対するアタッチメントレンズ５２の撮影範囲を特定する（ステップＳＢ１６）。ステップＳＢ１６の処理は、ステップＳＢ７の撮影範囲比較処理と同様の画像処理技術を用い、第２の画像を段階的に縮小させながら、それと対応する画像領域を第１の画像において検出し、検出した領域を撮影範囲として特定する処理である。
【００６８】
しかる後、制御部２１は、ステップＳＢ１６の処理で特定したアタッチメントレンズ５２の撮影範囲を示す撮影範囲枠をライブビュー画像に重畳して表示部５に表示させる（ステップＳＢ１７）。なお、この場合においても、表示部５において表示される撮影範囲枠は第１の実施形態で図４（ｂ）に示した撮影範囲枠Ｆと同様のものである。
【００６９】
以後、制御部２１は、レリーズ釦４が全押しされるまでの間（ステップＳＢ１８：ＮＯ）、レリーズ釦４の半押しの有無を逐次確認し、レリーズ釦４が半押し状態のままであれば（ステップＳＢ１５：ＹＥＳ）、ライブビュー画像に撮影範囲枠を表示した状態を維持する。また、制御部２１は、レリーズ釦４の半押しが解除されたら（ステップＳＢ１５：ＮＯ）、ステップＳＢ６の処理に戻ることにより、再び表示部５にライブビュー画像のみを表示させる。
【００７０】
これ以降の処理は第１の実施形態と同様である。すなわち制御部２１は、レリーズ釦４が全押しされると（ステップＳＢ１３：ＹＥＳ、ステップＳＢ１８：ＹＥＳ）、本体レンズ３とアタッチメントレンズ５２とをそれぞれ用いた撮影処理を行う（ステップＳＢ１９）。しかる後、制御部２１は、取得した各々の画像を撮影画像として互いに関連付けて記憶部２７に記憶する（ステップＳＢ２０）。
【００７１】
以上説明した第２の実施形態においても、デジタルカメラ１にレンズ部３の本体レンズ３とは異なる画角のアタッチメントレンズ５２を備えたアタッチメント５１が装着されている場合には、第１の実施形態と同様、異なる画角の撮影範囲を１画像（ライブビュー画像）内で比較し確認しながら撮影を行うことができる。
【００７２】
したがって、例えば本体レンズ３のズーム位置が望遠側である場合には、それよりも広角のアタッチメントレンズ５２を有するアタッチメント５１をデジタルカメラ１に装着しておくことによって、望遠撮影時には構図決定を楽に行うことができる。
【００７３】
しかも、本体レンズ３のズーム位置（ズーム倍率）に関係なく、相対的に画角が狭い側のレンズによる撮影範囲がライブビュー画像において常に正しいサイズで表示される。
【００７４】
また、本実施形態においても、アタッチメント５１が装着されている場合には、画角の異なる同一タイミングの複数の画像を撮影画像として得ることがきる。
【００７５】
一方、本実施形態においては、第１の実施形態とは異なり、ライブビュー画像内における相対的に画角が狭い側のレンズによる撮影範囲を、本体レンズ３を介して撮像された第１の画像とアタッチメントレンズ５２を介して撮像された第２の画像とを解析する処理により撮影範囲を特定するようにした。
【００７６】
よって、例えばアタッチメント５１が、外部からアタッチメントレンズ５２の焦点距離等の画角情報を得ることができない構成であっても、ライブビュー画像内に撮影範囲枠の表示を確実に行うことができる。
【００７７】
また、レリーズ釦４が半押しされていないことを確認したタイミングで、ステップＳＢ６〜ステップＳＢ８の処理により、本体レンズ３の画角とアタッチメントレンズ５２の画角の何れが広いかが判別される。そのため、ライブビュー画像内に撮影範囲枠の表示を常に確実、かつ正確に行うことができる。
【００７８】
（変形例）
次に、以上説明した第１の実施形態、及び第２の実施形態の変形例について説明する。第１の実施形態、及び第２の実施形態においては、アタッチメント５１が、主としてアタッチメントレンズ５２と第２の撮像素子５３とからなる場合について説明した。しかし、アタッチメント５１は、例えば第２の撮像素子５３が撮像した被写体の画像を逐次表示する小型のカラー液晶パネルや、その駆動回路等によって構成されるビューファインダを備えたものであっても構わない。
【００７９】
また、アタッチメント５１がビューファインダを備えたものである場合には、そのビューファインダに、図４（ｂ）に示したような撮影範囲枠Ｆが重畳されたライブビュー画像Ｇを表示させるようにしてもよい。その場合には、明るい場所であっても撮影範囲枠Ｆが重畳されたライブビュー画像Ｇの確認を容易に行うことができる。
【００８０】
また、アタッチメント５１が、単焦点レンズであるアタッチメントレンズ５２を備えたものについて説明した。しかし、アタッチメント５１は、焦点距離が可変のズーム機能を有するアタッチメントレンズ５２を備えた構成であってもよい。
【００８１】
また、アタッチメント５１が、ケーブル６１を介してカメラ本体２と電気的に接続される構成について説明した。しかし、アタッチメント５１とカメラ本体２との電気的な接続方法については任意であり、例えばカメラ本体２にホットシューが設けられている場合には、ホットシューを用いる構成であってもよい。
【００８２】
また、第１の実施形態、及び第２の実施形態においては、レリーズ釦４の半押しに伴い、ライブビュー画像に、相対的に画角が狭い側のレンズによる撮影範囲（撮影範囲が狭い側の画像の該当する撮影範囲）を示す撮影範囲枠が重畳表示される構成について説明した。しかし、撮影範囲枠の表示は、レリーズ釦４に限らず、他の操作スイッチを押されたことに応答して行う構成であっても構わない。
【００８３】
さらに、撮影範囲枠の表示が、レリーズ釦４が半押しされている間にだけ表示される構成について説明した。しかし、撮影範囲枠の表示が、他の操作スイッチ等の操作に応答して開始され、その後、他の操作スイッチ等が再度操作された時点で停止する構成とすることもできる。
【００８４】
また、アタッチメント５１が装着されているときには、レリーズ釦４等の操作の有無に関係なくライブビュー画像に撮影範囲枠を常時表示する構成としてもよい。なお、撮影範囲枠を常時表示する構成においては、レリーズ釦４の半押しや、他の操作スイッチが押されたとき、ライブビュー画像を、相対的に画角が狭い側のレンズを介して撮像した画像に一時的に切り替えるようにしてもよい。
【００８５】
また、第１の実施形態、及び第２の実施形態においては、レリーズ釦４の半押しに伴い、ライブビュー画像に、相対的に画角が狭い側のレンズによる撮影範囲を示す撮影範囲枠を重畳表示する構成について説明した。しかし、本発明においては、ライブビュー画像には、相対的に画角が狭い側のレンズによる撮影範囲が識別可能に表示できればよく、係る撮影範囲の表示形態については任意である。
【００８６】
したがって、本発明の実施に際しては、ライブビュー画像に、例えば撮影範囲枠に代えて、相対的に画角が狭い側のレンズによって撮像された実際の画像を識別可能に合成して表示する構成を採用することができる。
【００８７】
また、第１の実施形態のように、ライブビュー画像内における相対的に画角が狭い側のレンズによる撮影範囲を、本体レンズ３とアタッチメントレンズ５２との画角情報に基づき算出するものにおいては、以下のような構成を採用することができる。すなわち本体レンズ３とアタッチメントレンズ５２とのいずれか一方のレンズがズームレンズであり、かつ何れか他方のレンズの画角が一方のレンズの広角端の画角よりも広いときには、他方のレンズの画像をライブビュー画像として表示するとともに、ライブビュー画像に、一方のレンズのズーム位置が広角端であるとき及び望遠端であるときの撮影範囲をそれぞれ識別可能に表示させるようにしてもよい。
【００８８】
例えば本体レンズ３がズームレンズである場合には、ライブビュー画像に、本体レンズ３の現在の撮影範囲に代わり、又は撮影範囲に加えて、ズーム位置が広角端及び望遠端であるときの該当する撮影範囲をそれぞれ識別可能に表示させるようにしてもよい。
【００８９】
図６は、その場合における広角端及び望遠端の撮影範囲の表示形態の一例を示した図４（ｂ）に対応する図であって、ライブビュー画像Ｇに２種類の撮影範囲枠Ｆ１，Ｆ２を重畳して表示させる例を示した図である。図６において、外側に位置する撮影範囲枠Ｆ１が、本体レンズ３が広角端であるときの第１の撮影範囲を示すものであり、内側に位置する撮影範囲枠Ｆ２が、本体レンズ３が望遠端であるときの第２の撮影範囲を示すものである。なお、本体レンズ３の広角端及び望遠端の撮影範囲（第１の撮影範囲及び第２の撮影範囲）をライブビュー画像に表示する際の具体的な表示形態についても任意である。
【００９０】
また、第１の実施形態、及び第２の実施形態においては、主としてデジタルカメラ１が、レンズ部３がカメラ本体２に交換可能に装着される一眼レフ型のカメラである場合について説明したが、本発明はレンズ部３がカメラ本体２に固定的に設けられたデジタルカメラ１にも適用することができる。
【００９１】
以上、本発明のいくつかの実施形態、及びその変形例について説明したが、これらは本発明の作用効果が得られる範囲内であれば適宜変更が可能であり、変更後の実施形態も特許請求の範囲に記載された発明、及びその発明と均等の発明の範囲に含まれる。
以下に、本出願の当初の特許請求の範囲に記載された発明を付記する。
［請求項１］
第１のレンズ、及び該第１のレンズを介して画像を撮像する第１の撮像素子を含む第１の撮像手段により撮像された第１の画像を取得する第１の画像取得手段と、第２のレンズ、及び該第２のレンズを介して画像を撮像する第２の撮像素子を含む第２の撮像手段により撮像された第２の画像を取得する第２の画像取得手段と、前記第１の画像取得手段により取得された第１の画像と前記第２の画像取得手段により取得された第２の画像との少なくとも何れか一方を表示する表示手段と、前記第１の画像及び前記第２の画像のうち撮影範囲が広い側の画像を、前記第１の画像及び前記第２の画像のうち撮影範囲が狭い側の画像の該当する撮影範囲が識別可能な状態で前記表示手段に表示させる表示制御手段とを備えることを特徴とする撮像装置。
［請求項２］
前記第１のレンズの画角情報及び前記第２のレンズの画角情報を取得する画角情報取得手段と、前記画角情報取得手段により取得された前記第１のレンズ及び前記第２のレンズの画角情報に基づいて、前記撮影範囲が広い側の画像における前記撮影範囲が狭い側の画像の該当する撮影範囲を算出する算出手段とを更に備え、前記表示制御手段は、前記算出手段により算出された撮影範囲が識別可能な状態で前記撮影範囲が広い側の画像を前記表示手段に表示させることを特徴とする請求項１記載の撮像装置。
［請求項３］
前記第１の画像及び前記第２の画像の撮影範囲の何れが広いかを判別する判別手段を更に備え、前記表示制御手段は、前記判別手段により撮影範囲が広いと判別された画像を他方の画像の該当する撮影範囲が識別可能な状態で前記表示手段に表示させることを特徴とする請求項１又は２記載の撮像装置。
［請求項４］
前記第１のレンズまたは第２のレンズのうち、少なくとも一方のレンズの撮影範囲を変更する撮影範囲変更手段を更に備えることを特徴とする請求項１乃至３記載の撮像装置。
［請求項５］
前記算出手段は、前記第１のレンズ及び前記第２レンズの何れか一方のレンズがズームレンズであり、かつ何れか他方のレンズの画角が一方のレンズの広角端の画角よりも広い場合には、前記撮影範囲が広い側の画像における前記撮影範囲が狭い側の画像の該当する撮影範囲であって、前記一方のレンズの画角が広角端であるとき該当する第１の撮影範囲、及び前記一方のレンズの画角が望遠端であるとき該当する第２の撮影範囲をそれぞれ算出し、前記表示制御手段は、前記算出手段により算出された第１の撮影範囲と第２の撮影範囲とが識別可能な状態で前記撮影範囲が広い側の画像を前記表示手段に表示させることを特徴とする請求項２乃至４記載の撮像装置。
［請求項６］
前記撮影範囲が広い側の画像における前記撮影範囲が狭い側の画像の該当する撮影範囲を画像処理技術を用いて特定する範囲特定手段を更に備え、前記表示制御手段は、前記範囲特定手段により特定された撮影範囲が識別可能な状態で前記撮影範囲が広い側の画像を前記表示手段に表示させることを特徴とする請求項１記載の撮像装置。
［請求項７］
前記表示制御手段は、前記撮影範囲が広い側の画像を、前記撮影範囲が狭い側の画像の該当する撮影範囲を示す撮影範囲枠を重畳させた状態で前記表示手段に表示させることを特徴とする請求項１乃至６何れか記載の撮像装置。
［請求項８］
前記表示制御手段は、前記撮影範囲が広い側の画像を、前記撮影範囲が狭い側の画像を合成させた状態で前記表示手段に表示させることを特徴とする請求項１乃至６何れか記載の撮像装置。
［請求項９］
前記判別手段は、前記第１の画像及び前記第２の画像の撮影範囲の何れが広いかを、予め決められた判別タイミングが到来する毎に繰り返し判別することを特徴とする請求項３記載の撮像装置。
［請求項１０］
前記第２の撮像手段は、撮像装置の本体に装着されるアタッチメントに設けられ、前記第２の画像取得手段は、撮像装置の本体に装着されている前記アタッチメントから前記第２の画像を取得することを特徴とする請求項１乃至９何れか記載の撮像装置。
［請求項１１］
前記アタッチメントは、前記第２の画像を表示する他の表示手段を備え、前記表示制御手段は、前記他の表示手段に、前記撮影範囲が広い側の画像を前記撮影範囲が狭い側の該当する撮影範囲が識別可能な状態で前記表示手段に表示させることを特徴とする請求項１０記載の撮像装置。
［請求項１２］
前記第１のレンズは交換可能であることを特徴とする請求項１乃至１１何れか記載の撮像装置。
［請求項１３］
撮影操作に伴い前記第１の画像取得手段により取得された第１の画像と前記第２の画像取得手段により取得された第２の画像とを互いに関連付けて記憶する記憶手段を更に備えることを特徴とする請求項１乃至１０何れか記載の撮像装置。
［請求項１４］
第１のレンズ、及び該第１のレンズを介して画像を撮像する第１の撮像素子を含む第１の撮像手段により撮像された第１の画像を取得する第１の画像取得手段と、第２のレンズ、及び該第２のレンズを介して画像を撮像する第２の撮像素子を含む第２の撮像手段により撮像された第２の画像を取得する第２の画像取得手段と、前記第１の画像取得手段により取得された第１の画像と前記第２の画像取得手段により取得された第２の画像との少なくとも何れか一方を表示する表示手段とを備えた撮像装置において、前記第１の画像及び前記第２の画像のうち撮影範囲が広い側の画像を取得する工程と、取得した前記撮影範囲が広い側の画像を、前記第１の画像及び前記第２の画像のうち撮影範囲が狭い側の画像の該当する撮影範囲が識別可能な状態で前記表示手段に表示させる工程とを含むことを特徴とする撮影範囲表示方法。
［請求項１５］
第１のレンズ、及び該第１のレンズを介して画像を撮像する第１の撮像素子を含む第１の撮像手段により撮像された第１の画像を取得する第１の画像取得手段と、第２のレンズ、及び該第２のレンズを介して画像を撮像する第２の撮像素子を含む第２の撮像手段により撮像された第２の画像を取得する第２の画像取得手段と、前記第１の画像取得手段により取得された第１の画像と前記第２の画像取得手段により取得された第２の画像との少なくとも何れか一方を表示する表示手段とを備えた撮像装置が有するコンピュータを、前記第１の画像及び前記第２の画像のうち撮影範囲が広い側の画像を、前記第１の画像及び前記第２の画像のうち撮影範囲が狭い側の画像の該当する撮影範囲が識別可能な状態で前記表示手段に表示させる表示制御手段として機能させることを特徴とするプログラム。
【符号の説明】
【００９２】
１    デジタルカメラ
２    カメラ本体
３    レンズ部（本体レンズ）
４    レリーズ釦
５    表示部
６〜１０    操作スイッチ
１１    アタッチメント
２１    制御部
２２    電源部
２３    撮像部
２５    第１の撮像素子
２７    記憶部
２８    操作部
２９    接続部
５１    アタッチメント
５２    アタッチメントレンズ
５３    第２の撮像素子
６１    ケーブル
【図１】
2013235195.tif 000003
【図２】
2013235195.tif 000004
【図３】
2013235195.tif 000005
【図４】
2013235195.tif 000006
【図５】
2013235195.tif 000007
【図６】
2013235195.tif 000008